(57)【要約】【課題】様々な設定輝度に応じて、輝度低下を抑制し、高精度にムラを補正する。【解決手段】本発明の画像表示装置は、第１の輝度を取得する輝度取得手段と、発光輝度を調整可能な光源部を有し、前記第１の輝度に基づいて発光する発光手段と、前記第１の輝度が高いほど、輝度ムラまたは色ムラの少なくとも一方の補正量を少なくするムラ補正パラメータを生成するパラメータ生成手段と、前記ムラ補正パラメータに基づいて、入力される画像データを補正するムラ補正手段と、前記補正後の画像データに基づく透過率で前記発光手段が発する光を透過させることで画像表示を行う表示手段と、を有する。【選択図】図１
2019082509.tif 000002
【特許請求の範囲】
【請求項１】
第１の輝度を取得する輝度取得手段と、
発光輝度を調整可能な光源部を有し、前記第１の輝度に基づいて発光する発光手段と、
前記第１の輝度が高いほど、輝度ムラまたは色ムラの少なくとも一方の補正量を少なくするムラ補正パラメータを生成するパラメータ生成手段と、
前記ムラ補正パラメータに基づいて、入力される画像データを補正するムラ補正手段と、
前記補正後の画像データに基づく透過率で前記発光手段が発する光を透過させることで画像表示を行う表示手段と、
を有することを特徴とする画像表示装置。
【請求項２】
前記パラメータ生成手段は、前記第１の輝度が高く、かつ入力される画像データの画素値が大きいほど、前記補正量を少なくするムラ補正パラメータを生成する、
ことを特徴とする請求項１に記載の画像表示装置。
【請求項３】
入力される画像データの階調値に応じた補正量を保持する参照パラメータが記憶される記憶手段と、
前記第１の輝度が高いほど、値が小さく設定される補正係数を算出する係数算出手段と、
をさらに有し、
前記パラメータ生成手段は、前記参照パラメータの保持する補正量を、前記補正係数により調整することで前記ムラ補正パラメータを生成する、
ことを特徴とする請求項１または２に記載の画像表示装置。
【請求項４】
前記ムラ補正手段は、前記ムラ補正パラメータに基づいて、入力される画像データの画素値を調整することにより、前記輝度ムラを補正する、
ことを特徴とする請求項１から３のいずれか１項に記載の画像表示装置。
【請求項５】
前記輝度取得手段は、入力される画像に重畳表示されるユーザインタフェースを用いて、ユーザからの入力を受け付ける、
ことを特徴とする請求項１から４のいずれか１項に記載の画像表示装置。
【請求項６】
前記輝度取得手段は、高輝度に設定される第１の映像モードと、前記第１の映像モードよりも低輝度に設定される第２の映像モードのいずれかの映像モードをユーザが選択することにより前記第１の輝度を取得する、
ことを特徴とする請求項１から５のいずれか１項に記載の画像表示装置。
【請求項７】
前記ムラ補正パラメータに基づいて前記補正による輝度低下量を求め、前記輝度低下量に基づいて前記第１の輝度よりも高い輝度である第２の輝度を求める輝度制御手段をさらに有し、
前記発光手段は、前記第２の輝度に基づいて発光する、
ことを特徴とする請求項１から６のいずれか１項に記載の画像表示装置。
【請求項８】
発光輝度を調整可能な光源部を有する発光手段と、
画像データに基づく透過率で前記発光手段が発する光を透過させることで画像表示を行う表示手段と、
を備える画像表示装置の制御方法であって、
第１の輝度を取得する輝度取得ステップと、
前記第１の輝度が高いほど、輝度ムラまたは色ムラの少なくとも一方の補正量を少なく
するムラ補正パラメータを生成するパラメータ生成ステップと、
前記ムラ補正パラメータに基づいて、入力される画像データを補正するムラ補正ステップと、
を有し、
前記発光手段は、前記第１の輝度に基づいて発光し、
前記表示手段は、前記補正後の画像データに基づく透過率で前記発光手段が発する光を透過させる、
ことを特徴とする画像表示装置の制御方法。
【請求項９】
請求項８に記載の画像表示装置の制御方法の各ステップをコンピュータに実行させるためのプログラム。
【発明の詳細な説明】
【技術分野】
【０００１】
本発明は、画像表示装置および画像表示装置の制御方法に関する。
【背景技術】
【０００２】
液晶パネルやバックライトを用いた画像表示装置において、表示画面に生じるムラの補正方法について様々な技術が提案されている。特許文献１は、輝度が高い箇所を、輝度が低い箇所と同等の輝度になるように低下させることで輝度ムラを補正する技術を開示している。しかしながら、ＨＤＲ表示など高輝度が要求される画像表示装置に対して上述の補正方法を用いた場合、ＨＤＲ表示の効果が得られなくなってしまう。ここで、ＨＤＲ（Ｈｉｇｈ  Ｄｙｎａｍｉｃ  Ｒａｎｇｅ）とは、光源の高輝度点灯を行うことでダイナミックレンジを広げる技術である。
【０００３】
一方、画像データの画素値に応じて輝度ムラおよび色ムラの補正量を調節する技術が提案されている。特許文献２は、画像データの各色成分の強度が高いほど補正量を抑制することで、輝度レベルを低下させることなく輝度ムラおよび色ムラを補正する技術を開示している。
【先行技術文献】
【特許文献】
【０００４】
【特許文献１】特開２００７−１１４４２７号公報
【特許文献２】特開２００８−３１０２６１号公報
【発明の概要】
【発明が解決しようとする課題】
【０００５】
しかしながら、特許文献２のムラ補正方法ではバックライトの輝度は考慮されないため、例えば、バックライトが１００ｃｄ／ｍ２のような低輝度点灯を行う場合においても、画像データの高階調部のムラ補正が抑制されてしまう。そのため、低輝度点灯時のムラ補正の精度が低下してしまうという課題がある。一般に、バックライトが１０００ｃｄ／ｍ２のような高輝度点灯を行う場合、画像データのうち高階調部は光の反射等の画像である場合が多く、色の均一性よりも明るさの方が重要視される。一方、１００ｃｄ／ｍ２のような低輝度表示を行う場合、画像データのうち高階調部は表示画像全体への影響する画像である場合が多く、輝度や色の均一性は高輝度表示を行う場合よりも重要視される。
【０００６】
そこで、本発明は、様々な設定輝度に応じて、輝度低下を抑制し、高精度にムラを補正する技術を提供することを目的とする。
【課題を解決するための手段】
【０００７】
本発明の第一の態様は、
第１の輝度を取得する輝度取得手段と、
発光輝度を調整可能な光源部を有し、前記第１の輝度に基づいて発光する発光手段と、
前記第１の輝度が高いほど、輝度ムラまたは色ムラの少なくとも一方の補正量を少なくするムラ補正パラメータを生成するパラメータ生成手段と、
前記ムラ補正パラメータに基づいて、入力される画像データを補正するムラ補正手段と、
前記補正後の画像データに基づく透過率で前記発光手段が発する光を透過させることで画像表示を行う表示手段と、
を有することを特徴とする画像表示装置である。
【０００８】
本発明の第二の態様は、
発光輝度を調整可能な光源部を有する発光手段と、
画像データに基づく透過率で前記発光手段が発する光を透過させることで画像表示を行う表示手段と、
を備える画像表示装置の制御方法であって、
第１の輝度を取得する輝度取得ステップと、
前記第１の輝度が高いほど、輝度ムラまたは色ムラの少なくとも一方の補正量を少なくするムラ補正パラメータを生成するパラメータ生成ステップと、
前記ムラ補正パラメータに基づいて、入力される画像データを補正するムラ補正ステップと、
を有し、
前記発光手段は、前記第１の輝度に基づいて発光し、
前記表示手段は、前記補正後の画像データに基づく透過率で前記発光手段が発する光を透過させる、
ことを特徴とする画像表示装置の制御方法である。
【０００９】
本発明の第三の態様は、上記方法の各ステップをコンピュータに実行させるためのプログラムである。
【発明の効果】
【００１０】
本発明によれば、様々な設定輝度に応じて、輝度低下を抑制し、高精度にムラを補正することができる。
【図面の簡単な説明】
【００１１】
【図１】実施形態１に係る画像表示装置の一例を示す機能ブロック図
【図２】実施形態１に係る輝度設定画面の一例を示す図
【図３】実施形態１に係るパラメータ生成部の一例を示す図
【図４】実施形態１に係る参照パラメータの一例を示す図
【図５】実施形態１に係る所定の階調値における参照パラメータの一例を示す図
【図６】実施形態１に係るムラ補正係数の一例を示す図
【図７】実施形態１に係るムラ補正パラメータの一例を示す図
【図８】実施形態１に係るムラ補正処理のフローチャート
【図９】実施形態１の変形例１に係る映像設定メニューの一例を示す図
【図１０】実施形態２に係る画像表示装置の一例を示す機能ブロック図
【図１１】実施形態２に係るムラ補正パラメータの一例を示す図
【図１２】実施形態２に係るムラ補正処理のフローチャート
【発明を実施するための形態】
【００１２】
（実施形態１）
以下、本発明の実施形態１について説明する。
【００１３】
＜全体構成＞
図１は、本実施形態に係る画像表示装置１００の一例を示す機能ブロック図である。本実施形態に係る画像表示装置１００は、発光部１０１、表示部１０２、輝度取得部１０３、パラメータ生成部１０４、ムラ補正部１０５等で構成される。
【００１４】
発光部１０１（発光手段）は、後述する表示部１０２の背面に光を照射するバックライト装置である。発光部１０１は、１つまたは複数の光源（光源部または光源群）を有し、光源から発せられた光は不図示の拡散板によって面方向に拡散され、所定の広がりをもっ
たバックライトとして表示部１０２を背後から照射する。なお、光源の発光素子はＬＥＤ（発光ダイオード）等を用いることができるが、光源の発光素子はＬＥＤに限定されない。例えば、発光素子として、レーザ素子、有機ＥＬ素子、冷陰極管素子、プラズマ素子等が使用されてもよい。なお、光源から発せられる光の色は白、赤、緑もしくは青色光または紫外光等であってもよい。また、１つの光源は、複数の発光素子を有していてもよい。
【００１５】
また、発光部１０１は、光源の発光輝度を調整可能であり、後述する輝度取得部１０３で取得する輝度に基づいて、光源を駆動する。ここで、発光部１０１の制御する信号は、例えば、光源に印加するパルス信号（電流または電圧のパルス信号）のパルス幅を表す。その場合、発光部１０１が制御信号を調整することにより、光源の発光輝度が調整（ＰＷＭ制御）される。なお、制御信号は、光源に印加するパルス信号の波高値を表す信号であってもよい（ＰＡＭ制御）し、パルス幅と波高値の両方を表す信号であってもよい（ＰＷＡＭ制御）。
【００１６】
表示部１０２（表示手段）は、発光部１０１から発せられる光を液晶パネルで変調することにより（後述する補正後の）画像データに応じた表示を行う機能部である。なお、本実施形態に係る画像表示装置１００は、液晶表示素子以外の表示素子（ＭＥＭＳシャッター等）を用いることもできる。
【００１７】
表示部１０２には、不図示の液晶シャッター素子やカラーフィルタ等がマトリクス状に配置されている。液晶シャッター素子は、画像データの各画素のＲＧＢ値に応じて対応する素子の透過率が変化することによってパネル上に画像を形成する。液晶シャッター素子には、横縦に複数の画素が配置される。また、各画素には、副画素（サブピクセル）として、Ｒ，Ｇ，Ｂ画素が設けられる。カラーフィルタは、発光部１０１から照射された光をＲ，Ｇ，Ｂそれぞれの３波長帯域に分離する部材である。
【００１８】
輝度取得部１０３は、ユーザからの輝度設定要求に応じて輝度設定画面（ユーザインタフェース）を表示画像に重畳表示し、ユーザの輝度設定操作に応じて設定される輝度である設定輝度（第１の輝度）を設定する機能部である。輝度取得部１０３は、設定輝度を発光部１０１および後述するパラメータ生成部１０４に出力する。
【００１９】
図２は、本実施形態に係る輝度設定画面の一例を示す。本実施形態では、設定輝度は０から１０００ｃｄ／ｍ２の範囲で所定の輝度を選択する例について説明する。また、以下の説明では、設定輝度を１００ｃｄ／ｍ２に設定した場合をＳＤＲ（Ｓｔａｎｄａｒｄ  Ｄｙｎａｍｉｃ  Ｒａｎｇｅ）表示と称し、１０００ｃｄ／ｍ２に設定した場合をＨＤＲ表示と称する。なお、輝度取得部１０３で設定する輝度の単位や範囲は０から１０００ｃｄ／ｍ２に限定されず、より高輝度を設定可能としてもよい。また、設定輝度の間隔も特に限定されない。例えば、１ｃｄ／ｍ２単位で設定可能としてもよい。また、設定輝度は、ユーザの要求以外に応じて設定されてもよい。例えば、輝度は周辺環境の明るさに合わせて自動で調整されてもよく、また、設定ボタン等を設けてボタン押下時に自動で設定されてもよい。
【００２０】
パラメータ生成部１０４は、輝度取得部１０３で設定された輝度に基づいて、ムラ補正パラメータを生成する機能部である。本実施形態では、パラメータ生成部１０４は、表示部１０２の面内の領域毎のムラ補正量を保持する参照パラメータと、補正量を調整する補正係数とを用いてムラ補正パラメータを生成する。
【００２１】
ここで、参照パラメータは、表示部１０２の面内における所定の領域毎に、予め測定または理論的に計算をすることにより得られる補正値を保持している。これにより、パラメータ生成部１０４は、特定の画面領域（例えば、画面の中心付近）の輝度値がその他の領
域に比べて高い場合は、補正値に基づいて特定の画面領域の輝度を下げることで表示部１０２に生じる輝度ムラを均一に補正することができる。
【００２２】
しかし、このようなムラ補正を行う場合は輝度低下を伴うため、ＨＤＲ表示を行う場合、高輝度点灯の効果が得られなくなってしまう。そこで、本実施形態では、パラメータ生成部１０４は、輝度取得部１０３で設定された輝度が高い（ＨＤＲ表示）ほど、ムラ補正量（参照パラメータの補正値）が少なくなるように調整する補正係数を設ける。これにより、パラメータ生成部１０４は、ＨＤＲ表示のように設定輝度が高い場合はムラ補正の抑制により輝度の低下を抑制することができる。また、パラメータ生成部１０４は、ＳＤＲ表示のように設定輝度が低い場合は高精度にムラ補正を行うことができる。以下、図３を用いてパラメータ生成部１０４の詳細について説明する。
【００２３】
図３は、パラメータ生成部１０４の機能ブロック図を示す。パラメータ生成部１０４は、記憶部１０４１、係数算出部１０４２、乗算部１０４３等で構成される。本実施形態では、記憶部１０４１に予め記憶されるムラ補正用の参照パラメータと、係数算出部１０４２で算出されるムラ補正係数とを乗算することによりムラ補正パラメータを生成する。
【００２４】
記憶部１０４１は、１つ以上の参照パラメータを保持する。図４は、記憶部１０４１に保持される参照パラメータの例を示す。本実施形態では、入力される画像データの階調値０，２５６，５１２，７６８，１０２３に対応する５種類の参照パラメータが記憶部１０４１に保持される。また、各参照パラメータは、面方向に縦５×横５の領域毎に値（補正値）を有する。なお、上述の階調値以外の場合は、新たに参照パラメータが設けられてもよく、既存の参照パラメータから補間することにより参照パラメータが設けられてもよい。また、参照パラメータの領域数は縦５×横５に限定されない。
【００２５】
図５は、階調値１０２３に対応する参照パラメータの一例を示す。本実施形態では、参照パラメータの値には、補正により画像データの画素値を下げる際の補正値（設定値）が格納される。具体的には、補正により表示部１０２の中心部における画像データの画素値を１００下げる場合には、参照パラメータの該当する値には「−１００」が設定される。なお、参照パラメータに設定する値は、上述の補正値に限定されない。例えば、参照パラメータに設定する値は、領域ごとの輝度値が低下する比率等でもよい。
【００２６】
係数算出部１０４２は、輝度取得部１０３で設定する輝度に応じてムラ補正係数を算出する機能部である。具体的には、係数算出部１０４２は、設定輝度が高くなるほどムラ補正係数が小さくなるように係数を算出する。図６は、設定輝度とムラ補正係数の関係の一例を示す。本実施形態では、ムラ補正係数は、設定輝度が第１の閾値ｓ１（例えば、３００ｃｄ／ｍ２）以下であれば１．０、第２の閾値ｓ２（例えば、６００ｃｄ／ｍ２）以上であれば０．０、閾値ｓ１と閾値ｓ２の間であれば線形に変化する。以下の式（１）は、閾値ｓ１，ｓ２以上をそれぞれ３００，６００ｃｄ／ｍ２とする場合の設定輝度と補正係数との関係の一例を示す。
【数１】
2019082509.tif 000003
ここで、ｋはムラ補正係数、ｐは設定輝度を示す。例えば、設定輝度が４５０ｃｄ／ｍ２の場合、ムラ補正係数は０．５である。なお、設定輝度とムラ補正係数の対応関係は図６および式（１）に示す例に限定されない。
【００２７】
乗算部１０４３は、参照パラメータとムラ補正係数とに基づいてムラ補正パラメータを生成する機能部である。まず、乗算部１０４３は、記憶部１０４１より、入力される画像データの階調値に応じた各参照パラメータを取得する。そして、乗算部１０４３は、各参照パラメータに対して、上述のムラ補正係数を乗ずることでムラ補正パラメータを生成する。これにより、設定輝度が高い（図６の例では約６００ｃｄ／ｍ２以上）場合は、ムラ補正係数が０であるためムラ補正パラメータは０となり、ムラ補正による入力データの高階調部の輝度低下が抑制される。また、設定輝度が低い（図６の例では約３００ｃｄ／ｍ２以下）場合は、ムラ補正係数が１であるためムラ補正パラメータは参照パラメータと同様となり、後述するムラ補正部１０５は高精度にムラを補正することができる。
【００２８】
ムラ補正部１０５は、入力される画像データに対して、ムラ補正パラメータに基づいてムラ補正を行い、表示部１０２へ出力する画像データを生成する機能部である。具体的には、ムラ補正部１０５は、ムラ補正パラメータの値に応じて、対応する画像データの画素値を減ずることで輝度ムラの補正を行う。以下、ムラ補正部１０５の詳細について図７を用いて説明する。
【００２９】
図７は、設定輝度が１００ｃｄ／ｍ２（ＳＤＲ表示）の場合と、設定輝度が１０００ｃｄ／ｍ２（ＨＤＲ表示）の場合のムラ補正パラメータの例を示す。図７に示すように、設定輝度が１００ｃｄ／ｍ２の場合のムラ補正係数は上述の通り１．０であるため、ムラ補正パラメータは参照パラメータと同一となり、表示部１０２のムラが均一に補正される。一方で、設定輝度が１０００ｃｄ／ｍ２の場合のムラ補正係数は０．０であるため、ムラ補正パラメータの値はすべて０になる。このように、高階調部のムラ補正処理が行われないことにより、ムラ補正部１０５は、ＨＤＲ画像を表示する場合の輝度低下を抑制することができる。
【００３０】
＜処理内容＞
次に、図８のフローチャートを用いて、本実施形態に係るムラ補正処理の動作について説明する。まず、輝度取得部１０３は、ユーザにより設定された輝度（設定輝度）を取得する（Ｓ１０２）。そして、係数算出部１０４２は、設定輝度に基づいてムラ補正係数を算出する（Ｓ１０４）。次に、乗算部１０４３（パラメータ生成部１０４）は、ムラ補正係数と、記憶部１０４１の参照パラメータとに基づいてムラ補正パラメータを算出する（Ｓ１０６）。そして、ムラ補正部１０５は、ムラ補正パラメータに基づいて、入力される画像データを補正する（Ｓ１０８）。
【００３１】
なお、本実施形態では、設定輝度に応じてムラ補正係数を求める例について説明したが、パラメータ生成部１０４は、参照パラメータ毎にムラ補正係数を変更してもよい。これにより、ムラ補正部１０５は、より詳細にムラ補正処理を行うことができる。また、本実施形態では、設定輝度が１００ｃｄ／ｍ２または１０００ｃｄ／ｍ２の場合を例として説明したが、これら以外の輝度についても設定可能であり、同様に処理を行うことができる。例えば、設定輝度が４５０ｃｄ／ｍ２の場合、式（１）より補正係数は０．５であるため、パラメータ生成部１０４（乗算部１０４３）は参照パラメータ毎に０．５を乗じて、ムラ補正パラメータを生成する。
【００３２】
＜本実施形態の効果＞
以上のように、本実施形態に係る画像表示装置は、設定輝度が高いほどムラの補正量を抑えるように制御することで、高輝度表示（例えば、ＨＤＲ表示）時は輝度低下を抑制し、低輝度表示（例えば、ＳＤＲ表示）時は高精度にムラを補正することができる。
【００３３】
（実施形態１の変形例１）
上述の実施形態では、ユーザによって輝度値が設定される例について説明したが、本実施形態では、図９に例示するような設定メニュー（ユーザインタフェース）を用いる例について説明する。
【００３４】
図９は、本実施形態に係る映像設定メニューを示す。映像設定メニューには、複数の映像モードが設けられる。映像モードは、例えば、ＳＤＲ画像を表示するための輝度、色域、ガンマ値が設定された第１の映像モード（ＢＴ．７０９）を用いることができる。また、他の映像モードとして、ＨＤＲ画像を表示するための輝度、色域、ガンマ値が設定された第２の映像モード（ＨＬＧ：Ｈｙｂｒｉｄ  Ｌｏｇ−Ｇａｍｍａ）を用いることができる。この場合、係数算出部１０４２は、選択された映像モードに基づいてムラ補正係数を設定する。例えば、輝度取得部１０３は、ユーザによって第１の映像モードが選択された場合には、ムラ補正係数を１に設定し、第２の映像モードが選択された場合は、ムラ補正係数を０に設定する。これにより、第１の映像モードが選択された場合には、高精度にムラが補正され、第２の映像モードが選択された場合には、ムラ補正による輝度低下が抑制される。なお、映像モードは３つ以上設けられてもよい。また、各モードの選択方法および表示画像のレイアウトは、図６に示すメニュー画面に限定されない。
【００３５】
（実施形態１の変形例２）
上述の実施形態では、画像表示装置１００が、輝度ムラを補正する例を説明したが、色ムラや、輝度ムラおよび色ムラの両方を補正する場合においても適用することができる。例えば、色ムラの補正を行う場合は、記憶部１０４１にＲ，Ｇ，Ｂ毎に参照パラメータが設けられ、ムラ補正部１０５は、Ｒ，Ｇ，Ｂ毎に画像データの画素値を補正することができる。輝度ムラ、色ムラ双方を補正する場合においては、高輝度設定時は輝度ムラのみ補正効果を抑制するよう処理し、色ムラは設定輝度に関わらず同一の補正を行ってもよい。これにより、輝度低下を抑制しつつ、色ムラを補正することができる。
【００３６】
（実施形態１の変形例３）
上述の実施形態では、乗算部１０４３は、入力される画像データの階調値に応じた参照パラメータ全てに対して補正係数を乗ずる例について説明したが、階調値が高い参照パラメータのみに対して、補正係数を乗じてもよい。具体例として、図４に示す参照パラメータのうち階調値７６８および１０２３のみに対して上述の補正係数を乗じて、その他の参照パラメータに対しては上述の補正係数を乗じない。このようにすることで、高輝度点灯時においてムラ補正部１０５は、階調値が高い画像データに対しては上述の実施形態と同様に明るさを重視してムラ補正は行わず、階調値が低い画像データに対しては色の均一性を重視してムラ補正を行うことができる。
【００３７】
（実施形態２）
本実施形態に係る画像表示装置２００は、実施形態１の処理に加えて、ムラ補正により生じる輝度変化（輝度低下）を補うように光源の発光輝度を制御する。これにより、画像表示装置２００は、設定輝度に応じてムラの補正量を変化させた場合においても、表示輝度の低減を抑えることができる。以下、本発明の実施形態２について説明する。
【００３８】
図１０は、本実施形態に係る画像表示装置２００の機能ブロック図である。本実施形態に係る画像表示装置２００は、実施形態１の構成に加えて輝度制御部２０６を備える。
【００３９】
輝度制御部２０６は、光源の発光輝度を制御する機能部である。具体的には、輝度制御部２０６は、輝度取得部１０３で設定される輝度（以下、第１の輝度と称する。）と、パラメータ生成部１０４で生成されるムラ補正パラメータとに基づいて、上述のムラ補正による輝度低下を補うような発光輝度である第２の輝度を求める。そして、輝度制御部２０６は、制御後の第２の輝度で光源が点灯するように発光部１０１の発光輝度を制御する。
以下、輝度制御部２０６の詳細を説明する。
【００４０】
まず、輝度制御部２０６は、画像データの階調値に対応する参照パラメータに基づく参照値Ｔｄから輝度低下率Ｌｄ（輝度低下量）を算出する。本実施形態では、輝度制御部２０６は、図１１の参照パラメータの中央部の値を参照値Ｔｄとして用いる。中央部の値を参照値Ｔｄとして用いる理由は、表示画面中の中央部は周辺部と比較して補正量による輝度低下が大きい場合が多く、また、輝度低下による影響が顕著に認識されるためである。なお、参照値Ｔｄは、参照パラメータの中央部の値に限定されない。例えば、参照値Ｔｄは、参照パラメータの中央部以外の値でもよい。例えば、参照値Ｔｄは、参照パラメータの補正量のうち最大となる値（図１１の例では、−１０５）でもよく、また複数の値の平均値等でもよい。本実施形態では、輝度制御部２０６は、以下の式（１）を用いて輝度低下率Ｌｄを算出する。
【数２】
2019082509.tif 000004
ここで、γは表示部１０２のガンマ設定値を示す。例えば、参照値Ｔｄが−１００、ガンマ設定値γが２．２の場合、輝度低下率Ｌｄは約０．２である。つまり、中央部の輝度が約２０％低下することを意味する。
【００４１】
次に、輝度制御部２０６は、上述の輝度低下率Ｌｄに基づいて、輝度低下分を補うような発光輝度である第２の輝度Ｌ２（Ｌ２≧Ｌ１）を求める。そして、輝度制御部２０６は、は、第２の輝度Ｌ２で発光するよう光源の発光輝度を制御する。ここで、第２の輝度Ｌ２が、設定可能な輝度の上限値を超える値となる場合は、輝度制御部２０６は、輝度の上限値を第２の輝度Ｌ２とすればよい。本実施形態では、輝度制御部２０６は、以下の式（２）を用いて第２の輝度Ｌ２を算出する。
【数３】
2019082509.tif 000005
例えば、輝度低下率Ｌｄが０．２の場合は、式（２）より、第２の輝度Ｌ２は、第１の輝度Ｌ１の１．２５倍の輝度となる。
【００４２】
＜処理内容＞
次に、図１２のフローチャートを用いて、本実施形態に係る処理について説明する。まず、輝度取得部１０３は、ユーザにより設定された輝度（第１の輝度）を取得する（Ｓ１０２）。そして、係数算出部１０４２は、設定輝度に基づいてムラ補正係数を算出する（Ｓ１０４）。次に、乗算部１０４３（パラメータ生成部１０４）は、ムラ補正係数と、記憶部１０４１の参照パラメータとに基づいてムラ補正パラメータを算出する（Ｓ１０６）。そして、ムラ補正部１０５は、ムラ補正パラメータに基づいて、入力される画像データを補正する（Ｓ１０８）。ここで、輝度制御部２０６は、上述のムラ補正による輝度低下を補うため、発光輝度を制御する（Ｓ２１０）。具体的には、輝度制御部２０６は、第１の輝度Ｌ１およびムラ補正パラメータから、上述の式（２）および（３）を用いて第２の輝度Ｌ２を求め、第２の輝度Ｌ２で発光するよう光源の発光輝度を制御する。
【００４３】
上述した処理により、輝度制御部２０６は、高精度にムラ補正を行い、かつムラ補正により生じる輝度低下を補うことができる。
【００４４】
（その他の実施形態）
上述の実施形態では、ムラ補正係数から求まるムラ補正パラメータを用いてムラ補正量
を制御する方法について記述したが、設定輝度毎にムラ補正パラメータを設けてもよい。また、本発明は、２重構造の液晶パネル（２重液晶）とバックライトとで構成される画像表示装置や、プロジェクタ等の画像投影装置等に対しても適用することができる。
【００４５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４６】
以上、本発明の好ましい実施形態について説明したが、本発明はこれらの実施形態に限定されず、その要旨の範囲内で種々の変形及び変更が可能である。
【符号の説明】
【００４７】
１００，２００：画像表示装置
１０１：発光部
１０２：表示部
１０３：輝度取得部
１０４：パラメータ生成部
１０５：ムラ補正部
【図１】
2019082509.tif 000006
【図２】
2019082509.tif 000007
【図３】
2019082509.tif 000008
【図４】
2019082509.tif 000009
【図５】
2019082509.tif 000010
【図６】
2019082509.tif 000011
【図７】
2019082509.tif 000012
【図８】
2019082509.tif 000013
【図９】
2019082509.tif 000014
【図１０】
2019082509.tif 000015
【図１１】
2019082509.tif 000016
【図１２】
2019082509.tif 000017